(57)【要約】【課題】土砂の流出や崩壊を防止し保護すると共に、緑化を行い地域環境と景観を良好にする緑化ができる硬化材料及び緑化施工方法を提供する。【解決手段】傾斜面状又は水平面状となった施工対象１０を補強すると共に緑地化する施工方法であって、施工対象１０の表面に、耐腐食性を有するネット２４を固定手段２５によって固定するネット張付け工程と、ネット２４が張付けられた表面に、セメント、施工後に徐々に酸性となる緩効性酸性材、小粒材を主体とするセメント骨材、内部に空隙を有する小粒の通気性空隙材、小粒の植物種子を主体とする混合物を適当量の水と混和して敷き均す施工工程とを有し、混合物を塩基性状態で硬化させ、緩効性酸性材を作用させて中性化し植物種子を発芽させる。【選択図】　　　　図３
2004033110.tif 000002
【特許請求の範囲】
【請求項１】
セメントと、施工後に徐々に酸性となる緩効性酸性材と、小粒材を主体とするセメント骨材と、内部に空隙を有する小粒の通気性空隙材と、小粒の植物種子とを主体とする混合物からなって、使用にあっては適当量の水と混和して塩基性状態で硬化させ、前記緩効性酸性材を作用させて中性化し前記植物種子を発芽させることを特徴とする緑化ができる硬化材料。
【請求項２】
請求項１記載の緑化ができる硬化材料において、前記混合物中には、前記セメントが１０〜６０質量％、前記緩効性酸性材が５〜１５質量％、前記セメント骨材が１５〜４５質量％、前記通気性空隙材が３〜１０質量％、前記植物種子が０．５〜５質量％それぞれ含まれていることを特徴とする緑化ができる硬化材料。
【請求項３】
請求項１及び２のいずれか１項に記載の緑化ができる硬化材料において、前記緩効性酸性材はピートモスであることを特徴とする緑化ができる硬化材料。
【請求項４】
請求項１〜３のいずれか１項に記載の緑化ができる硬化材料において、前記通気性空隙材は籾殻であることを特徴とする緑化ができる硬化材料。
【請求項５】
請求項１〜４のいずれか１項に記載の緑化ができる硬化材料において、前記植物種子は縦方向に根を張る洋種シバの種子であることを特徴とする緑化ができる硬化材料。
【請求項６】
請求項１〜５のいずれか１項に記載の緑化ができる硬化材料において、前記混合物にはフライアッシュが添加されていることを特徴とする緑化ができる硬化材料。
【請求項７】
請求項１〜６のいずれか１項に記載の緑化ができる硬化材料において、前記混合物には保水材が添加されていることを特徴とする緑化ができる硬化材料。
【請求項８】
請求項７記載の緑化ができる硬化材料において、前記保水材は蛭石、木材チップ、軽石、吸水性合成樹脂、紙、及びパーライト粒のいずれか１又は２以上であることを特徴とする緑化ができる硬化材料。
【請求項９】
セメントを１０〜６０質量％と、施工後に徐々に酸性となる緩効性酸性材を５〜１５質量％と、小粒材を主体とするセメント骨材を１５〜４５質量％と、内部に空隙を有する小粒の通気性空隙材を３〜１０質量％と、小粒の植物種子を０．５〜５質量％と、フライアッシュを５〜１５質量％と、保水材を５〜１５質量％との混合物からなって、使用にあっては適当量の水と混和して塩基性状態で硬化させ、前記緩効性酸性材を作用させて中性化し前記植物種子を発芽させることを特徴とする緑化ができる硬化材料。
【請求項１０】
請求項９記載の緑化ができる硬化材料において、前記混合物中の前記緩効性酸性材はピートモス、前記通気性空隙材は籾殻、前記植物種子は縦方向に根を張る洋種シバの種子、前記保水材は蛭石、木材チップ、軽石、吸水性合成樹脂、紙、及びパーライト粒のいずれか１又は２以上であることを特徴とする緑化ができる硬化材料。
【請求項１１】
請求項１〜１０のいずれか１項に記載の緑化ができる硬化材料において、前記混合物には顔料が添加されていることを特徴とする緑化ができる硬化材料。
【請求項１２】
傾斜面状又は水平面状となった施工対象を補強すると共に緑地化する施工方法であって、
前記施工対象の表面に、耐腐食性を有するネットを固定手段によって固定するネット張付け工程と、
前記ネットが張付けられた前記施工対象の表面に、セメント、施工後に徐々に酸性となる緩効性酸性材、小粒材を主体とするセメント骨材、内部に空隙を有する小粒の通気性空隙材、及び小粒の植物種子を主体とする混合物を適当量の水と混和して敷き均す施工工程とを有し、
前記混合物を塩基性状態で硬化させ、前記緩効性酸性材を作用させて中性化し前記植物種子を発芽させることを特徴とする緑化施工方法。
【請求項１３】
請求項１２記載の緑化施工方法において、前記ネットの開口部が２〜５ｍｍであることを特徴とする緑化施工方法。
【請求項１４】
請求項１２及び１３のいずれか１項に記載の緑化施工方法において、前記施工対象の表面にコンクリートを施工し、該コンクリートの表面に前記ネットを配置することを特徴とする緑化施工方法。
【請求項１５】
請求項１２〜１４のいずれか１項に記載の緑化施工方法において、前記緩効性酸性材はピートモスであることを特徴とする緑化施工方法。
【請求項１６】
請求項１２〜１５のいずれか１項に記載の緑化施工方法において、前記通気性空隙材は籾殻であることを特徴とする緑化施工方法。
【請求項１７】
請求項１２〜１６のいずれか１項に記載の緑化施工方法において、前記植物種子は縦方向に根を張る洋種シバの種子であることを特徴とする緑化施工方法。
【請求項１８】
請求項１２〜１７のいずれか１項に記載の緑化施工方法において、前記混合物にはフライアッシュが添加されていることを特徴とする緑化施工方法。
【請求項１９】
請求項１２〜１８のいずれか１項に記載の緑化施工方法において、前記混合物には保水材が添加されていることを特徴とする緑化施工方法。
【請求項２０】
請求項１９記載の緑化施工方法において、前記保水材は蛭石、木材チップ、軽石、吸水性合成樹脂、紙、及びパーライト粒のいずれか１又は２以上であることを特徴とする緑化施工方法。
【請求項２１】
請求項１２〜２０のいずれか１項に記載の緑化施工方法において、前記混合物には顔料が添加されていることを特徴とする緑化施工方法。
【発明の詳細な説明】
【０００１】
【発明の属する技術分野】
本発明は、傾斜面状（例えば、法面）又は水平面状（例えば、植樹帯、河川敷等）となった施工対象を補強し地盤の崩壊を防止すると共に緑地化する緑化ができる硬化材料及び緑化施工方法に関する。
【０００２】
【従来の技術】
従来、例えば、法面の保護や補強、又は法面からの落石防止、地滑り防止を目的としては、コンクリート板を傾斜面状に敷設、施工する各種工法が知られている。また、法面斜度の大きな場合には、セメントモルタル吹付け工法等を使用し、上記した問題に対処している。
一方、この傾斜面状の景観を良好にすることを目的として、蒔き芝、敷き芝工法を使用し、自然環境の景観を良好にしている。
【０００３】
【発明が解決しようとする課題】
しかしながら、上記した施工方法には以下の問題がある。
コンクリート板を傾斜面状に敷設、施工する場合、施工された保護壁には、凹凸模様や自然石等を埋設した化粧が施されているものもあるが、それが周囲の自然環境と合わず、景観を著しく損なうことがあった。
また、セメントモルタル吹付け工法等を使用した場合、施工後のモルタルが収縮し、モルタル自体にひび割れ（クラック）が発生していた。このため、地盤支持力が低下し、法面の崩壊を誘発する要因となっていた。また、モルタル自体の汚れにより著しく景観を損ねるため、地域環境に適応できていないのが現状である。
一方、蒔き芝、敷き芝工法を使用した場合、確かに自然環境の景観を良好にはできるものの、法面の土圧や外的要因に耐えきれず、法面の崩壊を招いていた。
そこで、法面を補強し地盤の崩壊を防止すると共に景観を良好にするため、コンクリートと植物とを共存させることが検討されたが、コンクリートは塩基性であるため、コンクリートから植物を成長させることはできなかった。
本発明はかかる事情に鑑みてなされたもので、土砂の流出や崩壊を防止し保護すると共に、緑化を行い地域環境と景観を良好にする緑化ができる硬化材料及び緑化施工方法を提供することを目的とする。
【０００４】
【課題を解決するための手段】
前記目的に沿う第１の発明に係る緑化ができる硬化材料は、セメントと、施工後に徐々に酸性となる緩効性酸性材と、小粒材を主体とするセメント骨材と、内部に空隙を有する小粒の通気性空隙材と、小粒の植物種子とを主体とする混合物からなって、使用にあっては適当量の水と混和して塩基性状態で硬化させ、緩効性酸性材を作用させて中性化し植物種子を発芽させる。このため、セメントにより混合物が硬化するまでは塩基性状態を維持できると共に、施工後は緩効性酸性材により硬化した混合物であるセメント硬化体を徐々に中性化する。そして、中性化することによって発芽できる植物種子の芽を、通気性空隙材によって形成される開口部を介してセメント硬化体から突出させることができる。
ここで、第１の発明に係る緑化ができる硬化材料において、混合物中には、セメントが１０〜６０質量％、緩効性酸性材が５〜１５質量％、セメント骨材が１５〜４５質量％、通気性空隙材が３〜１０質量％、植物種子が０．５〜５質量％（より好ましくは、１〜３質量％）それぞれ含まれていることが好ましい。このように、混合物中に含まれるセメント、緩効性酸性材、セメント骨材、通気性空隙材、植物種子の各量をそれぞれ設定するので、セメント硬化体は必要とされる強度を備えると共に、通気性及び透水性を有するセメント硬化体に緑化に必要となる量の植物を成長させることができる。
【０００５】
第１の発明に係る緑化ができる硬化材料において、緩効性酸性材はピートモスであることが好ましい。このように、緩効性酸性材として、従来園芸用の土に利用されているピートモスを使用するので、硬化材料を安価に製造できる。
第１の発明に係る緑化ができる硬化材料において、通気性空隙材は籾殻であることが好ましい。これにより、セメント硬化体に対して、外部への開口部を容易に形成できる。また、従来廃棄処分されている籾殻を再利用できる。
第１の発明に係る緑化ができる硬化材料において、植物種子は縦方向に根を張る洋種シバの種子であることが好ましい。このように、植物種子として洋種シバの種子を使用するので、シバの根がセメント硬化体中の幅方向に渡って成長することを抑制でき、セメント硬化体の下方にある施工対象へ成長することを促進できる。
【０００６】
第１の発明に係る緑化ができる硬化材料において、混合物にはフライアッシュが添加されていることが好ましい。これにより、添加されるフライアッシュを植物種子の肥料として利用できる。また、産業廃棄物であるフライアッシュを再利用できる。
第１の発明に係る緑化ができる硬化材料において、混合物には保水材が添加されていることが好ましい。これにより、セメント硬化体の表面が乾燥状態になっても、植物種子の発芽に必要な水分を、セメント硬化体中から吸収できる。
第１の発明に係る緑化ができる硬化材料において、保水材は蛭石、木材チップ、軽石、吸水性合成樹脂、紙、及びパーライト粒のいずれか１又は２以上であることが好ましい。これにより、安価な材料でセメント硬化体中の水分を維持できる。
【０００７】
前記目的に沿う第２の発明に係る緑化ができる硬化材料は、セメントを１０〜６０質量％と、施工後に徐々に酸性となる緩効性酸性材を５〜１５質量％と、小粒材を主体とするセメント骨材を１５〜４５質量％と、内部に空隙を有する小粒の通気性空隙材を３〜１０質量％と、小粒の植物種子を０．５〜５質量％と、フライアッシュを５〜１５質量％と、保水材を５〜１５質量％との混合物からなって、使用にあっては適当量の水と混和して塩基性状態で硬化させ、緩効性酸性材を作用させて中性化し植物種子を発芽させる。このように、混合物はセメント、緩効性酸性材、セメント骨材、通気性空隙材、植物種子、フライアッシュ、保水材からなり、しかも各量をそれぞれ設定するので、セメント硬化体は必要とされる強度を備えると共に、セメント硬化体に緑化に必要となる量の植物を成長させることができる。
【０００８】
第２の発明に係る緑化ができる硬化材料において、混合物中の緩効性酸性材はピートモス、通気性空隙材は籾殻、植物種子は縦方向に根を張る洋種シバの種子、保水材は蛭石、木材チップ、軽石、吸水性合成樹脂、紙、及びパーライト粒のいずれか１又は２以上であることが好ましい。これにより、混合物中の緩効性酸性材、セメント骨材、通気性空隙材、及び保水材を、安価でしかも容易に入手可能な材料で構成できる。また、植物種子として洋種シバの種子を使用するので、シバの根がセメント硬化体中の幅方向に渡って成長することを抑制でき、セメント硬化体の下方にある施工対象へ成長することを促進できる。
第１、第２の発明に係る緑化ができる硬化材料において、混合物には顔料が添加されていることが好ましい。これにより、セメント硬化体の色彩を周囲の景観に対応した色彩にできる。
【０００９】
前記目的に沿う第３の発明に係る緑化施工方法は、傾斜面状又は水平面状となった施工対象を補強すると共に緑地化する施工方法であって、施工対象の表面に、耐腐食性を有するネットを固定手段によって固定するネット張付け工程と、ネットが張付けられた施工対象の表面に、セメント、施工後に徐々に酸性となる緩効性酸性材、小粒材を主体とするセメント骨材、内部に空隙を有する小粒の通気性空隙材、及び小粒の植物種子を主体とする混合物を適当量の水と混和して敷き均す施工工程とを有し、混合物を塩基性状態で硬化させ、緩効性酸性材を作用させて中性化し植物種子を発芽させる。このように、ネット張付け工程では、施工対象となる表面にネットを固定するので、例えば、軟弱地盤、盛土等の土を補強できる。また、施工工程では、セメントにより混合物が硬化するまでは塩基性状態を維持できると共に、施工後は緩効性酸性材によりセメント硬化体を徐々に中性化する。そして、中性化することによって発芽できる植物種子の芽を、通気性空隙材によって形成される開口部を介してセメント硬化体から突出させることができる。
ここで、第３の発明に係る緑化施工方法において、ネットの開口部（網目）が２〜５ｍｍであることが好ましい。これにより、大きく成長する雑草、例えば背高泡立草等のような雑草の種子が、例えセメント硬化体に飛来して発芽し、施工対象中に根を伸ばしたとしても、ネットの開口部以上に根が太くなることを防止できるので、雑草の成長を抑制できる。
なお、ここで、施工対象は法面、平地面、建物の屋上（例えば、平面屋根、傾斜屋根）を含む。特に、建物の屋上に本発明を適用すると屋上の温度上昇を防止できると共に、建物全体の温度上昇及び寒さを防ぐことができる。
【００１０】
第３の発明に係る緑化施工方法において、施工対象の表面にコンクリートを施工し、コンクリートの表面にネットを配置することが好ましい。このように、施工対象の表面に対し、コンクリートとセメント硬化体の２層構造の補強を行うことで、施工対象の更なる保護を図ることができる。
第３の発明に係る緑化施工方法において、緩効性酸性材はピートモスであることが好ましい。このように、緩効性酸性材として、従来園芸用の土に利用されているピートモスを使用するので、緑化施工方法に使用する硬化材料を安価に製造できる。
【００１１】
第３の発明に係る緑化施工方法において、通気性空隙材は籾殻であることが好ましい。これにより、施工後のセメント硬化体に対して、外部への開口部を容易に形成できる。また、従来廃棄処分されている籾殻を再利用できる。
第３の発明に係る緑化施工方法において、植物種子は縦方向に根を張る洋種シバの種子であることが好ましい。これにより、シバの根がセメント硬化体中の幅方向に渡って成長することを抑制でき、セメント硬化体の下方にある施工対象へ成長することを促進できる。
第３の発明に係る緑化施工方法において、混合物にはフライアッシュが添加されていることが好ましい。これにより、混合物に添加されるフライアッシュを植物種子の肥料として利用できる。また、産業廃棄物であるフライアッシュを再利用できる。
【００１２】
第３の発明に係る緑化施工方法において、混合物には保水材が添加されていることが好ましい。これにより、セメント硬化体の表面が乾燥状態になっても、植物種子の発芽に必要な水分を、セメント硬化体中から吸収できる。
第３の発明に係る緑化施工方法において、保水材は蛭石、木材チップ、軽石、吸水性合成樹脂、紙、及びパーライト粒のいずれか１又は２以上であることが好ましい。これにより、安価な材料でセメント硬化体中の水分を維持できる。
第３の発明に係る緑化施工方法において、混合物には顔料が添加されていることが好ましい。これにより、硬化後の混合物の色彩を周囲の景観に対応した色彩にできる。
【００１３】
【発明の実施の形態】
続いて、添付した図面を参照しつつ、本発明を具体化した実施の形態につき説明し、本発明の理解に供する。
ここに、図１〜図３はそれぞれ本発明の一実施の形態に係る緑化施工方法の説明図、図４（Ａ）、（Ｂ）はそれぞれ同緑化施工方法に使用するネットの斜視図、部分拡大図、図５、図６は同緑化施工方法実施後のセメント硬化体に飛来した雑草の成長過程を示す説明図である。
【００１４】
本発明の一実施の形態に係る緑化ができる硬化材料（以下、単に硬化材料とも言う）は、セメントと、施工後に徐々に酸性となるピートモス（緩効性酸性材の一例）と、小粒材（例えば、粒径が０．５〜２ｍｍ程度）を主体とする珪砂（セメント骨材の一例）と、内部に空隙を有する小粒（例えば、大きさが１〜５ｍｍ程度）の籾殻（通気性空隙材の一例）と、小粒の洋種シバの種子（植物種子の一例）とを主体とする混合物からなっている。以下、詳しく説明する。
【００１５】
セメントとしては、例えば、ポルトランドセメント、フライアッシュセメント、アルミナセメント、高炉セメント（Ａ種、Ｂ種、Ｃ種）等を使用できる。
ピートモスは、湿原の泥炭層を形成するミズゴケ等のコケ類のことであり、この堆積物を加工して作った園芸用の土である。
小粒の植物種子としては、縦方向に根を張る洋種シバの種子が使用されており、その種類としては、例えば、ブルーグラス、メドーグラス、ベント等があり、この各品種を単品、又は複数種混ぜて（ブレンド）使用し、オールシーズンで過酷な条件下でも発芽できるようにする。
また、混合物には、更にフライアッシュ、保水材の一例である蛭石（バーミキューライト）を添加することも可能である。このフライアッシュは、主成分がＡｌ２　Ｏ３　とＳｉＯ２　であり、電力灰とも呼ばれ、火力発電所等で石炭を燃やした後に生成し、集塵機で採取される微粉末状の灰である。
なお、混合物には、従来公知の金属塩等の無機顔料や、染料のレーキなどの有機顔料を添加し、この混合物を施工する周囲の環境に応じて、色彩を変えることができる。
【００１６】
ここで、混合物を構成する各材料の混合比率について説明する。
混合物中のセメント量は１０〜６０質量％である。ここで、セメント量が１０質量％未満の場合、硬化後の混合物であるセメント硬化体が、施工対象の保護を行うことができる程度の十分な強度を有することができない。一方、セメント量が６０質量％を超える場合、セメント硬化体の強度の上昇率が低下し経済的でない。
従って、セメント硬化体が十分な強度を有すると共に、セメント硬化体の強度を経済的に発現させるためには、混合物中のセメント量を１５〜５０質量％、更には２０〜４０質量％とすることが好ましい。
【００１７】
また、混合物中のピートモスの量は５〜１５質量％である。ここで、ピートモスの量が５質量％未満の場合、塩基性状態にあるセメント硬化体を中性化させることができず、混合物中の植物種子が発芽することなく腐ってしまう。一方、ピートモスの量が１５質量％を超える場合、ピートモスは酸性になるため、セメント硬化体が徐々に中性化された後、更に酸性状態となり、やはり植物種子を発芽させることができない。
従って、セメント硬化体を徐々に中性化させ、植物種子の発芽を行うには、混合物中のピートモスの量を混合物中のセメント量に比例させて、５〜１２質量％、更には６〜１０質量％とすることが好ましい。
【００１８】
混合物中の珪砂量は１５〜４５質量％である。ここで、珪砂量が１５質量％未満の場合、セメント硬化体中の骨材量が低下し、セメント硬化体が施工対象の保護を行うことができる程度の十分な強度を有することができない。一方、珪砂量が４５質量％を超える場合、セメント硬化体の強度の上昇率が低下し経済的でない。
従って、セメント硬化体が十分な強度を有すると共に、セメント硬化体の強度を経済的に発現させるには、混合物中の珪砂量を１５〜４０質量％、更には１７〜３０質量％とすることが好ましい。
混合物中の籾殻の量は３〜１０質量％である。ここで、籾殻の量が３質量％未満の場合、硬化体に対して形成できる開口部の数が少なくなり、セメント硬化体中で発芽した植物種子の芽がセメント硬化体中から突出できず、セメント硬化体を十分に緑化できない。また、セメント硬化体上に残存する水分を排水できず、水分過剰のため植物種子が腐る可能性がある。一方、籾殻の量が１０質量％を超える場合、セメント硬化体中の開口部が多くなり、セメント硬化体が、施工対象の保護を行うことができる程度の十分な強度を有することができない。
従って、セメント硬化体で成長する植物を枯らす（腐らせる）ことなく、セメント硬化体を十分に緑化できると共に、セメント硬化体が十分な強度を有するには、混合物中の籾殻の量を５〜１０質量％、更には７〜１０質量％とすることが好ましい。
【００１９】
混合物中の植物種子の量は０．５〜５質量％である。ここで、植物種子の量が０．５質量％未満の場合、植物種子の量が少なくセメント硬化体を十分に緑化できない。一方、植物種子の量が５質量％を超える場合、植物種子の量が過剰となり、経済的でない。
従って、セメント硬化体の緑化を十分に、しかも経済的に行うには、混合物中の植物種子の量を１〜４質量％、更には１〜３質量％とすることが好ましい。
混合物中のフライアッシュの量は５〜１５質量％である。ここで、フライアッシュの量が５質量％未満の場合、セメント硬化体の結合力を高めることができず、また植物種子の肥料としても十分な量でない。一方、フライアッシュの量が１５質量％を超える場合、セメント硬化体の結合力や植物種子の肥料としての効力が飽和し経済的でない。
従って、経済的にセメント硬化体の結合力を高めると共に、植物種子の肥料としても十分な量とするためには、混合物中のフライアッシュの量を８〜１５質量％、更には１０〜１５質量％とすることが好ましい。
【００２０】
混合物中の蛭石の量は５〜１５質量％である。ここで、蛭石の量が５質量％未満の場合、例えばセメント硬化体が乾燥状態にあれば、セメント硬化体で成長する植物の必要量の水分補給を行うことができず、植物が枯れてしまう可能性がある。一方、蛭石の量が１５質量％を超える場合、セメント硬化体中の蛭石の量が多くなり、セメント硬化体が施工対象の保護を行うことができる程度の十分な強度を有することができない。
従って、植物に補給する水分量をセメント硬化体中に確保できると共に、セメント硬化体が十分な強度を有するには、混合物中の蛭石の量を５〜１２質量％、更には６〜１０質量％とすることが好ましい。
以上のことから、硬化材料の使用にあっては、上記した各成分をそれぞれ配合し、適当量（例えば、セメント量の２０〜５０質量％）の水と混和して塩基性状態で硬化させ、ピートモスを作用させて中性化し植物種子を発芽させる。
【００２１】
続いて、図１〜図３を参照して、本発明の一実施の形態に係る緑化施工方法について、前記した硬化材料を用いて説明する。なお、この緑化施工方法は、傾斜面状（例えば、法面）又は水平面状（例えば、植樹帯、河川敷等）となった施工対象１０を補強すると共に緑地化する施工方法である。
まず、図１（Ａ）に示すように、施工対象１０の地盤１１上の石や岩等の障害物１２〜１５、雑草等の植物１６〜１９を取り除き、地盤１１をできるだけ裸地状態にする。
次に、図１（Ｂ）に示すように、裸地状態にした地盤２０が、粘土質や岩石質で水はけが悪かったり、痩せた地質等のときは、植物の植生環境を整えるためにマサ土（正土）２１等を敷き込む。なお、このような土入れを行うことなく、次に進むことも可能である。
図２（Ａ）に示すように、掘り起こされて荒れてしまった地盤、又はマサ土２１が敷き込まれた地盤を均一に定着させるため填圧を行い、平坦な地盤２２にする。ここで、機械による填圧は、地盤２２の排水性を悪くするので、じょうろ等の散水手段２３を用いて散水により土壌の定着を図る。なお、保水性の悪い土壌等には、土壌団粒安定剤等を水で希釈して散布することで、植生に適した地盤２２を製造できる。
【００２２】
図２（Ｂ）に示すように、施工対象１０の表土面（表面の具体例）、即ち填圧された地盤２２に、耐腐食性を有するネット２４を敷き込み、このネット２４を長さが例えば２００〜２５０ｍｍの多数のアンカーピン（固定手段の一例）２５によって地盤２２に固定する。
このネット２４は、例えば、アクリル、ガラス繊維、高強度ポリエステル樹脂等を素材とした網目構造のシートであり、軟弱地盤や盛土等、土の補強を目的として製造されたもので、高強度で低伸度の優れた特性を持っているものである。また、図４（Ａ）、（Ｂ）に示すように、ネット２４の開口部２６の形状は略正方形となっており、その一辺の長さＬは２〜５ｍｍである。
【００２３】
ここで、開口部２６の一辺の長さＬが２ｍｍより小さければ、地盤２２へ向かって伸びるセメント硬化体中の植物の根が、ネット２４の開口部２６を通過できない。一方、５ｍｍより大きければ、セメント硬化体上に飛来して発芽した雑草の根が、ネット２４の開口部２６を通過して地盤２２に到達した後、大きく成長する可能性がある。従って、セメント硬化体中の植物の根が、ネット２４の開口部２６を通過すると共に、雑草の根の成長を防止するには、２．５〜５ｍｍ、更には３〜５ｍｍとすることが好ましい。
なお、ネットの開口部の形状は、正方形以外の矩形とすることも、また円形、楕円形、多角形等とすることも可能である。この場合、開口部の大きさは、矩形や多角形の場合はその形状に内接する円の直径を、円形の場合は直径を、また楕円形の場合は短軸又は長軸の長さを、それぞれ２〜５ｍｍとする（以上、ネット張付け工程）。
【００２４】
図３（Ａ）に示すように、ネット２４が張付けられた地盤２２に、セメント、ピートモス、珪砂、籾殻、洋種シバの種子を主体とし、更にフライアッシュ、蛭石が添加された前記した配合量の混合物と、適当量（例えば、セメント量の２０〜５０質量％）の水とを、汎用型モルタルミキサー等を用いて混練（混和）した混練物２７を流し込む。なお、混合物中の各成分の配合比は、植生の重視（緑化を目的とした平地の植生）、雑草の生息の抑制（セメント硬化体として強度を発現させると共に、雑草の成長を抑制）、傾斜地での法面の保護と崩壊の防止（セメント硬化体の強度を増して法面を保護）等を、また混合物に添加する水量は、施工する混合物をポーラス（空隙を有した）の状態で施工することを、それぞれ考慮して設定する。
そして、混練物２７を地盤２２に流し込んだ後は、混練物２７を手で押えて痕が付かない程度に、桟木又はコテ２８等を用いて填圧し、地盤２２上に敷き均す。このとき、１ｍ２　施工当り、混合物１０ｋｇ（水は除く）で厚み１．５〜２ｃｍとなるようにする。
なお、この施工は、機械吹付けによって行うことが可能であるが、少量の場合は手作業によって行うことが適している（以上、施工工程）。
【００２５】
施工工程終了後は、一昼夜何もせずに放置し、混合物を塩基性状態で硬化させる。このとき、混合物が硬化するのにある程度の時間が必要であるため、例えば施工後２４時間以内に降雨の恐れがある場合は、施工した表面をシート等で保護する。なお、硬化前に降雨があると、混合物中から植物種子等の流出の恐れがあるが、硬化後の降雨には全く心配がない。
そして、施工後２日目以降は、施工した表面を保護することなく、自然の状態で放置する。ここで、混合物中ではピートモスが作用しセメント硬化体２９を中性化するので、洋種シバ３０の種子が発芽するが、自然の状態での発芽には７〜１０日必要となる。なお、発芽を促進したい場合や、乾燥した状態が長期間続くような場合は、セメント硬化体２９に対して適度に散水を行うことが好ましい。
また、セメント硬化体２９から突出した芽の剪定は、混練物の施工後約１カ月程度で行う。このように剪定を行うことで、図３（Ｂ）に示すように、わき目が出てきて洋種シバ３０が密集して成長する。
【００２６】
続いて、緑化施工方法によって製造したセメント硬化体２９の表面に雑草の種子３１が飛来してきた場合について説明する。
図５（Ａ）に示すように、雑草の種子３１が洋種シバ３０が成長したセメント硬化体２９上に飛来する。
図５（Ｂ）に示すように、セメント硬化体２９の表面に水分がある場合は、種子３１が発芽する可能性がある。
図６（Ａ）に示すように、種子３１が発芽した場合、種子３１の根３２がセメント硬化体２９内に入り込もうとして根を伸ばす。しかし、セメント硬化体２９が硬いため、セメント硬化体２９内に根づくことができないので、種子３１が持ち上がる。
図６（Ｂ）に示すように、種子３１の根３２は、セメント硬化体２９内に入ることができず水分を吸収できないため、根３２が乾燥してしまい、雑草は枯れていく。なお、一度発芽した種子３１は二度と発芽しないため、雑草がセメント硬化体２９で成長することを防止できる。また、雑草の根３２が、例えセメント硬化体２９内に伸び定着しても、セメント硬化体２９の下方に配置されたネット２４の開口部２６が、雑草の根３２の成長を拘束するので、雑草は大きく成長することを抑制される。
【００２７】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の緑化ができる硬化材料及び緑化施工方法を構成する場合にも本発明は適用される。
また、前記実施の形態においては、施工対象の表土面にネットを配置し、その上に混練物を敷き均した場合について説明した。しかし、施工対象の保護能力を更に高めるために、表土面に例えば２０〜１００ｍｍの厚みにポーラスなコンクリートを施工し、このコンクリートの表面にネットを配置し、更にその表面に混練物を敷き均すことも可能である。
なお、前記実施の形態では平地面に本発明を適用したが、前述の通り、建物の屋上や屋根に本発明を適用することもできる。
【００２８】
そして、前記実施の形態においては、混合物として、セメント、ピートモス、珪砂、籾殻、洋種シバの種子を主体とし、更にフライアッシュ及び蛭石が添加されたものについて説明した。しかし、混合物としては、施工対象の自然環境に応じて、フライアッシュ及び蛭石を添加することなく、セメント、ピートモス、珪砂、籾殻、洋種シバの種子を主体としたものを使用することも可能である。なお、混合物を構成する各材料は、これに限定されるものでなく、セメント骨材としては、例えば、砂、砂利等を、通気性空隙材としては、例えば、大鋸屑（おがくず）を、植物種子としては、例えば花の種を、保水材としては、例えば、多孔質である軽石、パーライト粒（黒曜石、真珠岩などの破砕片をセ氏千度前後で焼成したもの）、木材チップ、吸水性合成樹脂、紙のいずれか１又は２以上を使用することも可能である。
【００２９】
【発明の効果】
請求項１〜１１記載の緑化ができる硬化材料、及び請求項１２〜２１記載の緑化施工方法においては、セメントにより混合物が硬化するまでは塩基性状態を維持できると共に、施工後は緩効性酸性材によりセメント硬化体を徐々に中性化する。そして、中性化することによって発芽できる植物種子の芽を、通気性空隙材によって形成される開口部を介して、通気性及び透水性を有するセメント硬化体から突出させることができる。従って、従来できなかったセメントと植物との共存、即ちセメント硬化体中から植物を成長させることができるので、土砂の流出や崩壊を防止し保護すると共に、緑化を行い地域環境と景観を良好にできる。
特に、請求項２記載の緑化ができる硬化材料においては、混合物中に含まれるセメント、緩効性酸性材、セメント骨材、通気性空隙材、植物種子の各量をそれぞれ設定するので、セメント硬化体は必要とされる強度を備えると共に、セメント硬化体に緑化に必要となる量の植物を成長させることができる。従って、土砂の流出や崩壊を更に防止し保護すると共に、緑化を行い地域環境と景観を良好にできる。
【００３０】
請求項３記載の緑化ができる硬化材料、及び請求項１５記載の緑化施工方法においては、緩効性酸性材として、従来園芸用の土に利用されているピートモスを使用し、硬化材料を安価に製造できるので、経済的である。
請求項４記載の緑化ができる硬化材料、及び請求項１６記載の緑化施工方法においては、通気性空隙材として籾殻を使用し、セメント硬化体に対して、外部への開口部を容易に形成できるので、植物種子の成長を容易に行うことができる。また、従来廃棄処分されている籾殻を再利用できるので、処分費用がかからず経済的であると共に、資源の有効利用を図ることができる。
請求項５記載の緑化ができる硬化材料、及び請求項１７記載の緑化施工方法においては、植物種子として洋種シバの種子を使用するので、シバの根がセメント硬化体中の幅方向に渡って成長することを抑制でき、セメント硬化体の下方にある施工対象へ成長することを促進できる。これにより、施工対象へのセメント硬化体の一体性を確保でき、施工対象を保護できる。
【００３１】
請求項６記載の緑化ができる硬化材料、及び請求項１８記載の緑化施工方法においては、混合物にフライアッシュを添加し、植物種子の肥料として利用できるので、発芽した植物の成長を促進できる。また、産業廃棄物であるフライアッシュを再利用できるので、経済的である。
請求項７記載の緑化ができる硬化材料、及び請求項１９記載の緑化施工方法においては、混合物に保水材を添加するので、セメント硬化体の表面が乾燥状態になっても、植物種子の発芽に必要な水分を、セメント硬化体中から吸収できる。このため、セメント硬化体中の植物種子を枯らすことなく、発芽させることができる。
請求項８記載の緑化ができる硬化材料、及び請求項２０記載の緑化施工方法においては、保水材として蛭石、木材チップ、軽石、吸水性合成樹脂、紙、パーライト粒のいずれか１又は２以上を使用し、安価な材料でセメント硬化体中の水分を維持できるので、経済的である。
【００３２】
請求項９及びこれに従属する請求項１０、１１記載の緑化ができる硬化材料においては、混合物はセメント、緩効性酸性材、セメント骨材、通気性空隙材、植物種子、フライアッシュ、保水材からなり、しかも各量をそれぞれ設定するので、セメント硬化体は必要とされる強度を備えると共に、セメント硬化体に緑化に必要となる量の植物を成長させることができる。従って、土砂の流出や崩壊を更に防止し保護すると共に、緑化を行い地域環境と景観を良好にできる。
請求項１０記載の緑化ができる硬化材料においては、混合物中の緩効性酸性材、セメント骨材、通気性空隙材、及び保水材を、安価でしかも容易に入手可能な材料で構成できるので、経済的である。
また、植物種子として洋種シバの種子を使用するので、シバの根がセメント硬化体中の幅方向に渡って成長することを抑制でき、セメント硬化体の下方にある施工対象へ成長することを促進できる。これにより、施工対象へのセメント硬化体の一体性を確保でき、施工対象を保護できる。
請求項１１記載の緑化ができる硬化材料、及び請求項２１記載の緑化施工方法においては、混合物に顔料を添加するので、硬化後の混合物の色彩を周囲の景観に対応した色彩にできる。このため、従来のように、例えばコンクリートのみを使用した場合と比較して、景観を良好にできる。
【００３３】
請求項１２〜２１記載の緑化施工方法においては、ネット張付け工程で、施工対象となる表面にネットを固定するので、例えば、軟弱地盤、盛土等の土を補強でき、安全性を高められる。また、施工工程では、中性化されたセメント硬化体から植物種子を発芽させることができるので、施工対象の保護を行うと共に、緑地化できる緑化施工方法を提供できる。
特に、請求項１３記載の緑化施工方法においては、ネットの開口部を２〜５ｍｍとするので、大きく成長する雑草、例えば背高泡立草等のような雑草の種子が、例えセメント硬化体に飛来して発芽し、施工対象中に根を伸ばしたとしても、ネットの開口部以上に根が太くなることを防止できるので、雑草の成長を抑制できる。従って、雑草の除去作業を行う必要性が低減できるので、作業性が良好になる。
請求項１４記載の緑化施工方法においては、施工対象の表面に対し、コンクリートとセメント硬化体の２層構造の補強を行うことで、施工対象の更なる保護を図ることができるので、例えば地盤の強度低下を未然に防ぐことができ、安全性を高めた緑化施工方法を提供できる。
【図面の簡単な説明】
【図１】（Ａ）、（Ｂ）はそれぞれ本発明の一実施の形態に係る緑化施工方法の説明図である。
【図２】（Ａ）、（Ｂ）はそれぞれ同緑化施工方法の説明図である。
【図３】（Ａ）、（Ｂ）はそれぞれ同緑化施工方法の説明図である。
【図４】（Ａ）、（Ｂ）はそれぞれ同緑化施工方法に使用するネットの斜視図、部分拡大図である。
【図５】（Ａ）、（Ｂ）はそれぞれ同緑化施工方法実施後のセメント硬化体に飛来した雑草の成長過程を示す説明図である。
【図６】（Ａ）、（Ｂ）はそれぞれ同雑草の成長過程を示す説明図である。
【符号の説明】
１０：施工対象、１１：地盤、１２〜１５：障害物、１６〜１９：植物、２０：地盤、２１：マサ土、２２：地盤、２３：散水手段、２４：ネット、２５：アンカーピン（固定手段）、２６：開口部、２７：混練物、２８：コテ、２９：セメント硬化体、３０：洋種シバ、３１：種子、３２：根
【図１】
2004033110.tif 000003
【図２】
2004033110.tif 000004
【図３】
2004033110.tif 000005
【図４】
2004033110.tif 000006
【図５】
2004033110.tif 000007
【図６】
2004033110.tif 000008